(57)【特許請求の範囲】
【請求項１】
底壁と上部フレームとの間を連絡する側壁が、前記上部フレームに回動可能に連結された跳ね上げ側壁と、前記上部フレームに回動可能に連結された上側分割側壁と前記底壁に回動可能に連結された下側分割側壁とを回動可能に連結してなる折り曲げ側壁と、で構成され、
組立状態では、前記跳ね上げ側壁が前記上部フレームから垂下して底壁と係合し、折畳状態では、前記跳ね上げ側壁が内側に折り畳まれると共に、前記折り曲げ側壁が２つ折りにされて前記上側分割側壁と前記下側分割側壁の外面同士が重ね合わされる折り畳み容器において、
前記底壁には、平板状のベース壁と、前記ベース壁の外縁部から起立し且つ前記組立状態で前記跳ね上げ側壁の下端部を外側から覆う底部カバー壁と、前記底部カバー壁から内側に突出し且つ前記ベース壁との間に隙間を有する係合突部と、が備えられると共に、
前記跳ね上げ側壁の下端部には、前記係合突部と係合する係合凹部が設けられ、
前記係合突部は、前記底部カバー壁の一部を内側へ袋状に突出させて形成されて、その内側部分に、指又はアームを受容するための指掛凹部を形成すると共に、前記折畳状態において、２つ折りにされた前記折り曲げ側壁どうしの間に配置され、
前記ベース壁の下面のうち前記係合突部から前記底部カバー壁の幅方向にずれた位置には、指又はアームを引っ掛けるための補助指掛凹部が形成され、
前記補助指掛凹部は、前記ベース壁の一部を上方に隆起させてなる補助突部の下面側に形成され、前記補助突部の上端部が前記係合突部の上端部より下方に配置されている、折り畳み容器。
【請求項２】
前記下側分割側壁の側縁部には、前記組立状態において前記跳ね上げ側壁側に直角曲げされて前記跳ね上げ側壁に前記折り畳み容器の外側から当接する側部ストッパ壁が備えられ、
前記補助突部は、前記折畳状態において、前記下側分割側壁と前記ベース壁との間に形成される隙間に受容され、前記側部ストッパ壁と水平方向で対向する、請求項１に記載の折り畳み容器。
【発明の詳細な説明】
【技術分野】
【０００１】
本発明は、上部フレームに回動可能に連結された跳ね上げ側壁が、組立状態では、上部フレームから垂下して底壁と係合し、折畳状態では、内側に折り畳まれる折り畳み容器に関する。
【背景技術】
【０００２】
従来、この種の折り畳み容器として、跳ね上げ側壁の下端部を外側から覆う底部カバー壁を底壁に備え、底部カバー壁から内側に突出した係合突部が、跳ね上げ側壁の下端部に形成された係合凹部と係合するものが知られている（例えば、特許文献１参照）。
【先行技術文献】
【特許文献】
【０００３】
【特許文献１】実公昭５８−１６５０１号公報（第２頁左欄第１６〜３０行、第３図）
【発明の概要】
【発明が解決しようとする課題】
【０００４】
ところで、上述した従来の折り畳み容器では、折り畳み容器を持ち上げるときの指やロボットのアームを引っ掛けるための指掛凹部が底壁に形成されることがある。しかしながら、指掛凹部の大きさを、例えば、指やアームが挿入可能な程度の大きさとすると、指掛凹部を係合突部からずらして配置する必要が生じる。また、指掛凹部を係合突部と同じ位置に配置しようとすると、指掛凹部を小さくする必要が生じる。このように、従来の折り畳み容器では、指掛凹部を大きくしつつ、底壁と跳ね上げ側壁の係合部分と同じ位置に配置することが困難であるという問題があった。
【０００５】
本発明は、上記事情に鑑みてなされたもので、指掛凹部を大きくしつつ、底壁と跳ね上げ側壁の係合部分と同じ位置に配置することが可能な折り畳み容器の提供を目的とする。
【課題を解決するための手段】
【０００６】
上記目的を達成するためになされた請求項１の発明は、底壁と上部フレームとの間を連絡する側壁が、前記上部フレームに回動可能に連結された跳ね上げ側壁と、前記上部フレームに回動可能に連結された上側分割側壁と前記底壁に回動可能に連結された下側分割側壁とを回動可能に連結してなる折り曲げ側壁と、で構成され、組立状態では、前記跳ね上げ側壁が前記上部フレームから垂下して底壁と係合し、折畳状態では、前記跳ね上げ側壁が内側に折り畳まれると共に、前記折り曲げ側壁が２つ折りにされて前記上側分割側壁と前記下側分割側壁の外面同士が重ね合わされる折り畳み容器において、前記底壁には、平板状のベース壁と、前記ベース壁の外縁部から起立し且つ前記組立状態で前記跳ね上げ側壁の下端部を外側から覆う底部カバー壁と、前記底部カバー壁から内側に突出し且つ前記ベース壁との間に隙間を有する係合突部と、が備えられると共に、前記跳ね上げ側壁の下端部には、前記係合突部と係合する係合凹部が設けられ、前記係合突部は、前記底部カバー壁の一部を内側へ袋状に突出させて形成されて、その内側部分に、指又はアームを受容するための指掛凹部を形成すると共に、前記折畳状態において、２つ折りにされた前記折り曲げ側壁どうしの間に配置され、前記ベース壁の下面のうち前記係合突部から前記底部カバー壁の幅方向にずれた位置には、指又はアームを引っ掛けるための補助指掛凹部が形成され、前記補助指掛凹部は、前記ベース壁の一部を上方に隆起させてなる補助突部の下面側に形成され、前記補助突部の上端部が前記係合突部の上端部より下方に配置されている、折り畳み容器である。
【０００７】
請求項２の発明は、前記下側分割側壁の側縁部には、前記組立状態において前記跳ね上げ側壁側に直角曲げされて前記跳ね上げ側壁に前記折り畳み容器の外側から当接する側部ストッパ壁が備えられ、前記補助突部は、前記折畳状態において、前記下側分割側壁と前記ベース壁との間に形成される隙間に受容され、前記側部ストッパ壁と水平方向で対向する、請求項１に記載の折り畳み容器である。
【発明の効果】
【０００９】
［請求項１，２の発明］
請求項１，２の発明では、跳ね上げ側壁の下端部に外側から重ねられる底部対向壁の一部を袋状に突出させてなる係合突部が、跳ね上げ側壁の下端部と係合する。そして、その係合突部の内側部分に指掛凹部が形成されているので、係合突部と指掛凹部を跳ね上げ側壁の幅方向で同じ位置に配置しても、係合突部とベース壁との間に隙間を確保しつつ、指掛凹部を大きくすることが可能となる。このように、本発明によれば、指掛凹部を大きくしつつ、底壁と跳ね上げ側壁の係合部分と同じ位置に配置することが可能となる。
また、指掛凹部に受容される指又はアームとは別の指又はアームを補助指掛凹部に引っ掛けることが可能となる。これにより、折り畳み容器を安定して持ち上げることが可能となる。
【図面の簡単な説明】
【００１２】
【図１】本発明の一実施形態に係る折り畳み容器の斜視図
【図２】折畳状態の折り畳み容器の斜視図
【図３】底壁を上方から見た斜視図
【図４】（Ａ）係止突部の斜視図、（Ｂ）指掛凹部の斜視図
【図５】底壁を下方から見た斜視図
【図６】指掛凹部及び補助指掛凹部の斜視図
【図７】跳ね上げ側壁の斜視図
【図８】跳ね上げ側壁の下縁係止孔周辺の斜視図
【図９】跳ね上げ側壁を内側から見た折り畳み容器の断面図
【図１０】図９におけるＡ−Ａ断面図
【図１１】図９におけるＢ−Ｂ断面図
【図１２】折畳状態の折り畳み容器の一部破断側面図
【発明を実施するための形態】
【００１３】
以下、本発明の一実施形態を図１〜図１２に基づいて説明する。本実施形態の折り畳み容器１０は、樹脂の成形品であって、図１に示すように、矩形状の底壁１１と、底壁１１と略同じ大きさの矩形枠状をなす上部フレーム２０と、底壁１１と上部フレーム２０との間を連絡する側壁１０Ｓと、を備えている。そして、折り畳み容器１０は、側壁１０Ｓが折り畳まれることで、図１に示す組立状態から、図２に示す折畳状態となる。
【００１４】
図３に示すように、底壁１１は、矩形状のベース壁１２の外縁部から底部カバー壁１３が起立した構造になっている。ベース壁１２は、図５に示す下駄部１２Ａを下面に備えている。この下駄部１２Ａは、複数のリブ１２Ｌの周囲を包囲壁１２Ｈで囲んだ構造をなし、ベース壁１２の外縁部を除いた略全体に亘って形成されている。
【００１５】
図３に示すように、底部カバー壁１３は、底壁１１の長辺部１１Ａ，１１Ａに位置する底部長辺側壁１３Ａ，１３Ａと、底壁１１の短辺部１１Ｂ，１１Ｂに位置する底部短辺側壁１３Ｂ，１３Ｂと、からなる。また、底壁１１の長辺部１１Ａには、ベース壁１２から上方に突出した長辺支持突起１１ＡＴが設けられている。なお、長辺支持突起１１ＡＴの高さは、底部長辺側壁１３Ａよりも低くなっている。
【００１６】
底部短辺側壁１３Ｂの中央部からは係止突部１４が水平内側に突出している。図４（Ａ）に拡大して示すように、係止突部１４は、略直方体のブロック状をなし、ベース壁１２との間に隙間を有している。係止突部１４における底壁１１の短辺方向外側の両側部には、係止爪１４Ｔ，１４Ｔが形成されている。係止爪１４Ｔは、平面視三角形状をなし、水平内側を向いた傾斜ガイド面１４Ｋを有している。なお、本発明では、底部短辺側壁１３Ｂが本発明の「底部カバー壁」に相当し、係止突部１４が本発明の「係合突部」に相当する。
【００１７】
図１に示すように、上部フレーム２０は、天井壁２１の内縁部と外縁部とから内側対向壁２２と外側対向壁２３とが垂下した溝構造になっていて、外側対向壁２３は、内側対向壁２２より下方に延ばされている。外側対向壁２３は、上部フレーム２０の周方向全体に亘って同じ高さになっている。また、上部フレーム２０の短辺部２０Ｂにおける内側対向壁２２の高さは、長辺部２０Ａの内側対向壁２２の高さよりも低くなっていて、短辺部２０Ｂにおける内側対向壁２２の下端は、長辺部２０Ａにおける内側対向壁２２の下端より上方に配置されている。なお、短辺部２０Ｂにおける外側対向壁２３の中央部には、折り畳み容器１０が図２に示す折畳状態から図１に示す組立状態へ移行するときに、上部フレーム２０を持ち上げる指を引っ掛けるための上部指掛凹部２３Ａが形成されている。
【００１８】
図１に示すように、側壁１０Ｓは、底壁１１の短辺部１１Ｂ，１１Ｂと上部フレーム２０の短辺部２０Ｂ，２０Ｂとの間を連絡する１対の跳ね上げ側壁３０，３０と、底壁１１の長辺部１１Ａ，１１Ａと上部フレーム２０の長辺部２０Ａ，２０Ａとの間を連絡する１対の折り曲げ側壁６０，６０と、からなる。
【００１９】
図１に示すように、折り曲げ側壁６０は、上下方向の中央で上側分割側壁６１と下側分割側壁６５とに２分割されている。上側分割側壁６１は、枠状の主板壁６２と、主板壁６２の内側に配置される透明プレート６３と、で構成されている。上側分割側壁６１の上端部は、上部フレーム２０の各長辺部２０Ａ，２０Ａに回動可能に連結されている。具体的には、上部フレーム２０の長辺部２０Ａには、長辺支持突起２０ＡＴが形成され、上側分割側壁６１の上端部に備えた回動突部６１Ｔが長辺支持突起２０ＡＴの間に配置されると共に、その長辺支持突起２０ＡＴに回動可能に連結されている。
【００２０】
また、下側分割側壁６５も上側分割側壁６１と同様の構成になっていて、下側分割側壁６５の下端部は、底壁１１の各長辺部１１Ａ，１１Ａに回動可能に連結されている。具体的には、下側分割側壁６５の下端部に備えられた図示しない回動突部が、底壁１１の長辺部１１Ａに形成された長辺支持突起１１ＡＴ（図３参照）の間に配置されると共に、その長辺支持突起１１ＡＴに回動可能に連結されている。
【００２１】
上側分割側壁６１と下側分割側壁６５とは、複数のヒンジ部Ｈによって回動可能に連結されている。そして、跳ね上げ側壁３０，３０を折り畳んだ状態で、各折り曲げ側壁６０が内側に２つ折りにされると、上側分割側壁６１と下側分割側壁６５の外面同士が重ね合わされると共に上部フレーム２０と底壁１１とが互いに接近し、折り畳み容器１０が折畳状態になる（図２参照）。また、通常は、折り曲げ側壁６０，６０は、起立状態の跳ね上げ側壁３０，３０に当接して２つ折りが規制され、折り畳み容器１０が組立状態に保持されている。
【００２２】
図７に示すように、跳ね上げ側壁３０は、上側分割側壁６１と同様に、枠状の主板壁３１と、主板壁３１の内側に配置される透明プレート３２と、で構成されている。詳細には、主板壁３１は、外縁部が屈曲される等して補強された構造になっている。跳ね上げ側壁３０の上端部には、複数の回動突部３０Ｔが形成されている。回動突部３０Ｔは、図１に示すように、上部フレーム２０の短辺部２０Ｂに形成された短辺支持突起２０ＢＴの間に配置されると共に、その短辺支持突起２０ＢＴに回動可能に連結される。これにより、跳ね上げ側壁３０が、上部フレーム２０の短辺部２０Ｂに回動可能に連結される。なお、上部フレーム２０において跳ね上げ側壁３０の回動中心は、上述した上側分割側壁６１の回動中心より上方に位置しており、跳ね上げ側壁３０は折畳状態になると折り曲げ側壁６０の上方に退避する。
【００２３】
図７に示すように、跳ね上げ側壁３０の下縁中央部には、外側に開放した下縁係止孔４０が形成され、跳ね上げ側壁３０における下縁係止孔４０の両脇には、跳ね上げ側壁３０の下端縁を上方に陥没させてなる補助係合凹部４５，４５が形成されている。具体的には、跳ね上げ側壁３０の下辺部には、主板壁３１から突出した複数のリブ３１Ｌによって、外側に開放した複数の部屋３３が横並びにして備えられている。そして、複数の部屋３３のうち跳ね上げ側壁３０の幅方向中央に配置された中央部屋３３Ａによって下縁係止孔４０が形成され、中央部屋３３Ａに隣接する中央隣接部屋３３Ｂ，３３Ｂの底壁を陥没させて、補助係合凹部４５，４５が形成されている。
【００２４】
図８に示すように、下縁係止孔４０は横長矩形状をなし、下縁係止孔４０内には、係止突部１４の係止爪１４Ｔ（図４（Ａ）参照）と係止する側壁係止爪５１を備えた側壁側係止部５０が下縁係止孔４０の幅方向に対をなして備えられている。具体的には、下縁係止孔４０を形成する中央部屋３３Ａのうち幅方向で対向する対向支持壁４１，４１からは、下縁係止孔４０の幅方向に弾性変形する弾性伸縮部５２が突出し、その弾性伸縮部５２の先端部に側壁係止爪５１が形成されている。なお、側壁側係止部５０は、対向支持壁４１の上下方向の中間部から突出し、中央部屋３３Ａの底壁４２及び天井壁４３との間に隙間を有して配置されている。
【００２５】
図１に示すように、跳ね上げ側壁３０の下端部は、底壁１１の底部短辺側壁１３Ｂに内側から当接すると共に、跳ね上げ側壁３０の側縁部は、折り曲げ側壁６０の側縁部から跳ね上げ側壁３０側に直角曲げされた側部ストッパ壁６０Ｓに内側から当接する。これにより、跳ね上げ側壁３０が底壁１１から直立した起立状態になる。
【００２６】
跳ね上げ側壁３０が起立状態になると、図１０に示すように、底部短辺側壁１３Ｂから水平内側に突出した係止突部１４が、跳ね上げ側壁３０の下縁係止孔４０（本発明の「係合凹部」に相当する。）に受容される。このとき、係止突部１４の係止爪１４Ｔ（図４（Ａ）参照）と側壁側係止部５０の側壁係止爪５１（図８参照）とが互いに係止する。また、側部ストッパ壁６０Ｓ（図１参照）から水平内側に突出した図示しない係止爪が跳ね上げ側壁３０の側縁部に形成された係止孔３０Ｋ（図７参照）内に係止する。これにより、跳ね上げ側壁３０が起立状態に保持される。そして、跳ね上げ側壁３０の下端部を内側に押し込むように押圧又は殴打することで、係止爪１４Ｔと側壁係止爪５１の係止及び図示しない係止爪と係止孔３０Ｋの係止が解除されて跳ね上げ側壁３０が上部フレーム２０の下端部に収まった折畳状態になる。
【００２７】
ところで、本実施形態の折り畳み容器１０では、係止突部１４が、図４（Ｂ）及び図１０に示すように、底部短辺側壁１３Ｂの中央部を内側へ袋状に突出させてなり、係止突部１４の内側に、水平外側に開口した指掛凹部１５が形成されている。この指掛凹部１５には、折り畳み容器１０を持ち上げる際の作業者の指やロボットのアームが挿入される。また、図４（Ｂ）及び図６に示すように、底部短辺側壁１３Ｂの外面には、指掛凹部１５の側部開口１５Ａの下縁部からベース壁１２の下面まで延びたガイド溝１６が形成されている。これにより、ガイド溝１６を案内にして、指又はアームを指掛凹部１５へ誘導することが可能となる。
【００２８】
また、図４（Ａ）、図４（Ｂ）及び図１１に示すように、底壁１１の短辺部１１Ｂのうち係止突部１４の両脇には、ベース壁１２の一部を上方に隆起させてなる補助突部１７Ｔ，１７Ｔが形成され、これら補助突部１７Ｔ，１７Ｔの裏側（下面側）に補助指掛凹部１７Ａ，１７Ａが形成されている。ベース壁１２の下面からの補助指掛凹部１７Ａの陥没深さは、指掛凹部１５の上下方向の高さよりも浅くなっている。この補助指掛凹部１７Ａには、指掛凹部１５に挿入される指又はアームとは別の指又はアームが引っ掛けられる。
【００２９】
図９及び図１１に示すように、跳ね上げ側壁３０が起立状態になると、補助突部１７Ｔ，１７Ｔは、跳ね上げ側壁３０に形成された補助受容凹部４５，４５に受容される。そして、跳ね上げ側壁３０のうち補助受容凹部４５，４５の間に形成される中央突部４６が、１対の補助突部１７Ｔ，１７Ｔの間に挟まれる。これにより、底壁１１に対する跳ね上げ側壁３０の幅方向の移動が規制されている。
【００３０】
図１２には、折畳状態における折り畳み容器１０の底壁１１と折り曲げ側壁６０の配置関係が示されている。同図に示されるように、折り曲げ側壁６０は、底壁１１のベース壁１２の上に下側分割側壁６５が外面を上向きにして重ねられ、その下側分割側壁６５の上に上側分割側壁６１が外面を下向きにして重ねられた状態となっている。ここで、上述した折り曲げ側壁６０の側部ストッパ壁６０Ｓ（図１参照）は、上側分割側壁６１と下側分割側壁６５の両方に備えられている。そして、折畳状態で、下側分割側壁６５に備えられた側部ストッパ壁６０Ｓがベース壁１２と当接することにより、下側分割側壁６５がベース壁１２の短辺部中央から浮いた状態となり、下側分割側壁６５とベース壁１２との間に隙間１８が形成される。そして、この隙間１８に、ベース壁１２から突出する補助突部１７Ｔが受容されている。
【００３１】
本実施形態に係る折り畳み容器１０の構成に関する説明は以上である。次に、折り畳み容器１０の作用効果について説明する。
【００３２】
本実施形態の折り畳み容器１０では、跳ね上げ側壁３０の下端部に外側から重ねられる底部短辺側壁１３Ｂの一部を袋状に突出させてなる係止突部１４が、跳ね上げ側壁３０の下縁係止孔４０と係合する。そして、その係止突部１４の内側部分に指掛凹部１５が形成されているので、係止突部１４と指掛凹部１５を跳ね上げ側壁３０の幅方向で同じ位置に配置しても、係止突部１４とベース壁１２との間に隙間を確保しつつ、指掛凹部１５を大きくすることが可能となる。このように、本実施形態の折り畳み容器１０によれば、指掛凹部１５を大きくしつつ、底壁１１と跳ね上げ側壁３０の係合部分と同じ位置に配置することが可能となる。
【００３３】
また、本実施形態では、底壁１１には、指掛凹部１５の下端開口縁から下方に延びて底壁１１の下面まで延びるガイド溝１６が形成されているので、ガイド溝１６を案内にして指又はアームを指掛凹部１５に挿入し易くすることが可能となる。しかも、底壁１１の短辺部１１Ｂの下面のうち係止突部１４からずれた位置には、指又はアームが引っ掛けられる補助指掛凹部１７Ａが形成されているので、指掛凹部１５に受容される指又はアームとは別の指又はアームを補助指掛凹部１７Ａに引っ掛けることが可能となり、折り畳み容器１０を安定して持ち上げることが可能となる。
【００３４】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００３５】
（１）上記実施形態では、補助指掛凹部１７Ａ，１７Ａが指掛凹部１５を挟むように、対をなして形成されていたが、一方の補助指掛凹部１７Ａのみが形成されてもよい。
【００３６】
（２）上記実施形態では、指掛凹部１５が底壁１１の辺部（短辺部１１Ｂ）の中央に配置されていたが、底壁１１の辺部の中央からずれた位置に配置されていてもよい。
【００３７】
（３）上記実施形態では、指掛凹部１５が底壁１１の辺部（短辺部１１Ｂ）に１つだけ形成されていたが、複数形成されてもよい。
【００３８】
（４）上記実施形態では、補助指掛凹部１７Ａがベース壁１２の一部を上方に隆起させて形成されていたが、ベース壁１２の下面を陥没させて形成されてもよい。
【符号の説明】
【００３９】
１０    折り畳み容器
１１    底壁
１２    ベース壁
１３Ｂ    底部短辺側壁（側部カバー壁）
１４    係止突部（係合突部）
１５    指掛凹部
１６    ガイド溝
１７Ａ    補助指掛凹部
３０    跳ね上げ側壁
４０    下縁係止孔（係合凹部）
【図１】
0006615476.tif 000002
【図２】
0006615476.tif 000003
【図３】
0006615476.tif 000004
【図４】
0006615476.tif 000005
【図５】
0006615476.tif 000006
【図６】
0006615476.tif 000007
【図７】
0006615476.tif 000008
【図８】
0006615476.tif 000009
【図９】
0006615476.tif 000010
【図１０】
0006615476.tif 000011
【図１１】
0006615476.tif 000012
【図１２】
0006615476.tif 000013